【手続補正書】
【提出日】平成16年12月13日(2004.12.13)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、包装構造及び包装方法に関する。特に、複数の定形物を包装物とし、この包装物の複数を袋体内に包装するものに係る。本発明は、定形物が複数個のトイレットロールを直方体状に一次包装して一体化物として包装物とし、この包装物の複数を、袋体内に包装する際に特に有効なものである。
【０００２】
【従来の技術】
従来、定形物としてトイレットロールやキッチンロールなどの家庭用ロール紙は、複数個単位で販売に供するために、ほぼ直方体状にプラスチックフィルムにより一次包装して、購買後に手提げ持ち帰り可能な状態の一体化物としている。
【０００３】
従来、生産工場では、前記の一次包装をした一体化物を、作業員が大型ダンボールケースにたとえば１２個単位を８個、合計９６個梱包し、販売店向けに出荷している。
【０００４】
【発明が解決しようとする課題】
しかし、ダンボールケースによる包装形態では、ダンボールケースのコストが嵩むばかりでなく、販売店では、ダンボールケースが大型であることも原因して、商品取り出し後のダンボールケースの処分に不自由しているのが現状である。
【０００５】
したがって、本発明の主たる課題は、販売店における、商品取り出し後の包装物の処分が簡易であり、しかも、包装体として、袋体を使用することにより、コストの削減も可能なようにする。さらに、ダンボールケースの場合と同様に、所定形状を維持したまま梱包をなし、型崩れなしに物流に供することができるようにする。
【０００６】
【課題を解決するための手段】
上記課題を解決した本発明は次記のとおりである。
＜請求項１項記載の発明＞
複数の定形の包装物を袋体内に包装した構造であって、
前記袋体は、一方が開口した有底袋体であり、未包装状態では扁平形態をなし、包装状態では少なくとも底部が実質的に四角形の形状をなす直方体形態をなし、
前記袋体内に前記開口から複数の前記包装物を装填し、少なくとも前記底部に複数の前記包装物を配置し、前記開口は封をしたことを特徴とする包装構造。
【０００７】
＜作用効果＞
本発明によれば、販売店における、商品取り出し後の袋体の処分が簡易となる。しかも、ダンボールケースを使用する場合に比較して、コストの削減が可能となる。また、物流に耐える十分な強度をもった包装構造が得られる。さらに、ダンボールケースの場合と同様に、所定形状を維持でき、型崩れなしに物流に供することができる。
【０００８】
＜請求項２項記載の発明＞
複数の定形物を集めて所定形態に一体化した包装物の複数を、袋体内に包装した請求項１記載の包装構造。
【０００９】
＜作用効果＞
個別でないので装填作業が容易となる。また、型崩れが少ないものとなる。
【００１０】
＜請求項３項記載の発明＞
袋体はクラフト紙袋である請求項１または２記載の包装構造。
【００１１】
＜作用効果＞
クラフト紙袋を使用することにより、耐破断強度が高いものとなる。
【００１２】
＜請求項４項記載の発明＞
袋体はクラフト紙の二重袋である請求項１または２記載の包装構造。
【００１３】
＜作用効果＞
より一層に、耐破断強度が高いものとなる。
【００１４】
＜請求項５項記載の発明＞
定形物がトイレットロールまたはキッチンロールを含むロール紙である請求項１〜３のいずれか１項に記載の包装構造。
【００１５】
＜作用効果＞
ロール紙は軽量であるので、大型の袋体に包装するのに適しており、本発明の包装構造を採ることにより、梱包に伴う変形が少ない。
【００１６】
＜請求項６項記載の発明＞
複数の定形の包装物を袋体内に包装する方法であって、
前記袋体は、一方が開口した有底袋体であり、未包装状態では扁平形態をなし、包装状態では少なくとも底部が実質的に四角形の形状をなす直方体形態をなし、
前記袋体内に前記開口から複数の前記包装物を装填し、少なくとも前記底部に複数の前記包装物を配置し、その後前記開口は封をすることを特徴とする包装方法。
【００１７】
＜作用効果＞
請求項１の作用効果のほか、梱包効率が高いものとなる。
【００１８】
＜請求項７項記載の発明＞
未包装状態の袋体を実質的に水平方向にした状態で、袋体内部を開袋させ、この袋体内に前記開口から複数の包装物を水平方向に装填する請求項６記載の包装方法。
【００１９】
＜作用効果＞
梱包が容易であり、装填の精度が高いものとすることが可能である。
【００２０】
＜請求項８項記載の発明＞
複数の定形物を直方体形態に一次包装し、一体化物としたものを包装物として、この包装物の複数を、袋体内に包装する請求項６または７記載の包装方法。
【００２１】
＜作用効果＞
個別でないので装填作業が容易となる。また、型崩れが少ないものとなる。
【００２２】
【発明の実施の形態】
以下本発明の実施の形態を図面を参照しながらさらに詳説する。
＜第１の袋体の例＞
図１〜図３に好適な第１の袋体１０の例を示した。袋体１０は、クラフト紙を二重袋として製袋したものである。構造がやや複雑であり、製袋の加工段階で、単位シートの一方方向に重ね合わせ、全体として二重の両端開口重ねシートとする。シート１１の重ね合わせ方向端縁を１１ａ，１１ｂで示してある。重ね部分の適宜位置が、特に、糊付けにより接合される。重ね合わせ方向端縁１１ａ，１１ｂ近傍、ならびに両端開口縁近傍は糊付けにより接合される。
【００２３】
重ねシートの両端開口状態が図３の（Ａ）に示されているが、図３全体においては、図面の複雑化を避けるために、一重のシートである態様で図示してあることに注意されたい。
【００２４】
一方の底部となる側には、図３の（Ａ）に示されているように、両面における両側部において、開口端からスリット線１２，１２が形成され、このスリット線１２の根元に向かって、側縁の基点Ｐ０，Ｐ０から斜めの第１山折り線１３Ａが形成される。これらの第１山折り線１３Ａ，１３Ａ相互は第２山折り線１３Ｂにより繋がれる。またスリット線１２，１２と平行にその外側において、第１山折り線１３Ａ，１３Ａと点Ｐ，Ｐで繋がる第１谷折り線１４Ａ，１４Ａが形成される。他方で、片面のみに、第２谷折り線１４Ｂが形成される。なお、これらの各折線は、製袋の加工段階で形成されるものであることに注意されたい。
【００２５】
図３の（Ｂ）に示されているように、第２谷折り線１４Ｂを介して第１山折り線１３Ａ，１３Ａを境にして、第２谷折り線１４Ｂ、第１山折り線１３Ａ，１３Ａ、及び第２第１山折り線１３Ｂで囲まれる面が、前記片面側に折り畳まれる。また、スリット線１２，１２、及び第１山折り線１３Ａ，１３Ａで囲まれる面が、第１底面フラップＦ１として前記片面側に折り重ねられる。このとき、各第１谷折り線１４Ａ，１４Ａを境にして、潜ることで、ハット状の形状の第２底面フラップＦ２が形成され、第１底面フラップＦ１上に位置される。
【００２６】
図３の（Ｃ）に示されているように、続いて、あるいは先に、若しくは同時的に、対向する第１底面フラップＦ１，Ｆ２上に跨り、対向する第２底面フラップＦ２，Ｆ２の下に跨り、第１底面シート１５Ａが糊付けにより接合される。
【００２７】
その後、図３の（Ｄ）に示されているように、第１底面シート１５Ａとほぼ同大同形の第２底面シート１５Ｂが持ち込まれ、第１底面シート１５Ａ、第１底面フラップＦ１，Ｆ２、及び第２底面フラップＦ２，Ｆ２に糊付けにより接合される。
【００２８】
かくして、図１及び図２に示す袋体１０が製袋される。
【００２９】
＜第１の包装形態＞
製袋された袋体１０は、図１及び図２に示すように、一方が開口した有底袋体であり、未包装状態では扁平形態をなしている。装填する段階では少なくともその底部が実質的に四角形の形状をなす形態となっている。
【００３０】
これらの未包装状態の袋体１０，１０……は、図４に示すように、包装設備内または近傍において、実質的に水平方向にした状態で積み重ねられる。
【００３１】
包装設備には、バキュームカップ２０、２０が装備され、積み重ね袋体１０，１０…群から、順次、一枚ごと袋体１０が取り出され、装填ライン（たとえば図５に示す装填用コンベア）３０上に設置される。
【００３２】
次いで、袋体１０内部を、たとえばバキュームカップ２０、２０によりあるいはグリッパー２１、２１により開口させ、その開口からエアを吹き付け、全体として袋体１０を開袋させる。このとき、前記基点Ｐ０，Ｐ０は、開袋に伴って平面の一部に埋没し、代わりに、第１山折り線１３Ａ，１３Ａと第１谷折り線１４Ａ，１４Ａとを繋ぐ、点Ｐ，Ｐ……において、底面の各コーナー点となり、図６のように、実質的に四角形の形状の袋体１００となる。
【００３３】
このとき、底面は、第１底面シート１５Ａ及び第２底面シート１５Ｂにより剛性が強化されているので、実質的に四角形の形状の袋体１００となり易い。逆に、第１底面シート１５Ａ及び第２底面シート１５Ｂは、少なくとも第２底面シート１５Ｂは、４点のＰ，Ｐ，Ｐ，Ｐで囲まれる四角形に対して、ほぼ同大であるか、小さい場合には、シートの辺が四角形の辺に対して、３ｃｍ以上離間しないことが望ましい。
【００３４】
その後、この袋体１００内に、図６に示すように、一次包装をした一体化した包装物５０の複数を、実質的に水平方向に装填し、少なくとも底部に複数の包装５０，５０を配置し、その後、その開口は封をする。
【００３５】
ここで、包装物５０は定形物を集積状態で一次包装をしたものである。この例として、定形物（形が定まった物、したがって粉体などではない）としては、トイレットロール５１の例を挙げる。このトイレットロール５１，５１…群を段及び横に配置した集積状態で、図示の形態では、４個配置し３段積みの集積状態としたもので、ほぼ直方体状にポリエチレンフィルムなどの包装フィルムにより一次包装し、購買後に手提げ持ち帰り可能な状態の一体化物としたものである。この一体化物はほぼ直方体をなしており、これを包装物５０とするものである。
【００３６】
包装物５０を袋体１００内に装填するに際しては、開口に対向するプッシャー６０により押し込むことができる。この場合、配置した複数の包装物５０を押し込むことが望ましい。
【００３７】
装填が終了したならば、図７に示すように、開口部を順に折り込み装置により折り込み・折り畳み、クラフト紙により蓋シート１６を糊付けすることにより、開口は封をする。
【００３８】
かくして、販売店における、商品取り出し後の袋体の処分が簡易となる。しかも、ダンボールケースを使用する場合に比較して、コストの削減が可能となる。また、物流に耐える十分な強度をもった包装構造が得られる。さらに、ダンボールケースの場合と同様に、所定形状を維持でき、型崩れなしに物流に供することができる。
【００３９】
＜他の包装形態＞
包装物５０を袋体１００内に装填する場合、図８に示すように、包装物５０を段積み状態で袋体１００内に装填することも可能である。また、開口の封に際して、図８に示すように、粘着テープ１７により折り込み・折り畳み部を固定して開口は封をすることもできる。
【００４０】
本発明において、定形物としては、トイレットロールのほか、キッチンロールなどの家庭用ロール紙が望ましいが、ティシュペーパーの収納箱を集積した一体化物を使用することも可能である。さらに、他の適宜の物品も定形物の対象となる。定形物を一体化させる手段として、上記例のフィルム包装のほか、箱包装、バンドやテープ類で一体化したものでもよい。
【００４１】
他方、本発明において、定形物を一次包装したものを包装物とするほか、定形物そのものを包装物とする態様も含むものである。
【００４２】
使用する包装袋体としては、一重のクラフト紙袋、三重以上のクラフト紙袋、あるいは他のパルプ種の袋のほか、プラスチックシートも可能である。ただし、柔軟性が過度に高いプラスチックシートは、直方体状に維持し難いので、紙製のものが最適である。
【００４３】
袋体としては、図９に示すように、ガゼット袋体５５とし、包装に際して、底部が実質的に四角形の形状をなす構造を採ることができる。その他の構造は適宜選択できる。
【００４４】
なお、本発明において、「底部が実質的に四角形の形状をなす直方体形態」とは、厳密の四角形の形状を意味するものではなく、少々の四角形の形状の崩れを許容するものである。
【００４５】
【発明の効果】
以上のとおり、本発明によれば、販売店における、商品取り出し後の包装物の処分が簡易となる。包装体として、袋体を使用することにより、ダンボールケースを使用する場合と比較して、コストの削減が可能となる。さらに、ダンボールケースの場合と同様に、所定形状を維持したまま梱包をなし、型崩れなしに所定形状を維持させた状態で物流に供することができるようにする。
【手続補正２】
【補正対象書類名】明細書
【補正対象項目名】図面の簡単な説明
【補正方法】変更
【補正の内容】
【図面の簡単な説明】
【図１】
袋体例の一方の面側からの斜視図である。
【図２】
袋体例の他方の面側からの斜視図である。
【図３】
製袋工程の概要図である。
【図４】
袋体の積み重ね状態斜視図である。
【図５】
袋体の開口開始状態斜視図である。
【図６】
包装物（一体化物）の装填の説明図である。
【図７】
装填・包装完了状態斜視図である。
【図８】
装填・包装完了状態の他例による斜視図である。
【図９】
袋体の別の例の斜視図である。
【符号の説明】
１０，１００…袋体、１１…シート、１２…スリット線、１３Ａ…第１山折り線、１３Ｂ…第２山折り線、１４Ａ…第１谷折り線、１４Ｂ…第２谷折り線、１５Ａ…第１底面シート、１５Ｂ…第２底面シート、１６…蓋シート、２０…バキュームカップ、２１…グリッパー、５０…包装物（一体化物）、５１…トイレットロール、６０…プッシャー、Ｆ１…第１底面フラップ、Ｆ２…第２底面フラップ、Ｐ０…基点、Ｐ…点。
【手続補正３】
【補正対象書類名】図面
【補正対象項目名】図３
【補正方法】変更
【補正の内容】
【図３】
2003182767.tif 000001